【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手の施工法において、該ＣＴ形鋼挿入溝からＣＴ形鋼の板状先端部の外側の該パイプの内部空間への水および泥土の流入を遮断する遮断手段を該ＣＴ形鋼または該パイプの相方もしくはいずれか一方に設け、該ＣＴ形鋼を該パイプ内に挿入することにより該パイプの該内部空間への水および泥土の流入を遮断した後、該内部空間内の水を排水し、次いで該内部空間内にアスフアルト混合物、モルタル等の遮水材料を充填することを特徴とする鋼管矢板の継手の施工法。
【請求項２】
該遮断手段は、一端部が該ＣＴ形鋼の板状先端部の内側において該板状先端部に固定され、他端部が該ＣＴ形鋼を該パイプ内に挿入する際に折り曲げられて該パイプの内周面に圧接される該ＣＴ形鋼の長手方向に延長する１対のゴム・合成樹脂等の弾性体からなる遮水板を備えることを特徴とする請求項１記載の施工法。
【請求項３】
鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手において、該ＣＴ形鋼挿入溝からＣＴ形鋼の板状先端部の外側の該パイプの内部空間への水および泥土の流入を遮断する遮断手段を該ＣＴ形鋼の板状先端部の内側に設けるとともに該パイプの内部空間内にアスフアルト混合物、モルタル等の充填材を充填したことを特徴とする鋼管矢板の継手の遮断構造。
【請求項４】
該遮断手段は、一端部が該ＣＴ形鋼の板状先端部の各端部に固定され、他端部が該ＣＴ形鋼の板状基部に取付けられ、該ＣＴ形鋼の長手方向に延長する１対のゴムシートまたは布状物からなる遮水シートを備えることを特徴とする請求項３記載の鋼管矢板の継手の遮断構造。
【請求項５】
該遮断手段は、一端部が該ＣＴ形鋼の板状先端部の内側において該板状先端部に固定され、他端部が折り曲げられて該パイプの内周面に圧接された該ＣＴ形鋼の長手方向に延長する１対のゴム・合成樹脂等の弾性体からなる遮水板を備えることを特徴とする請求項３記載の鋼管矢板の継手の遮断構造。
【請求項６】
該遮水板の該パイプ内周面に圧接される部分には長手方向に延長する水膨潤ゴムが取付けられていることを特徴とする請求項５記載の鋼管矢板の継手の遮断構造。
【請求項７】
該遮水板の該ＣＴ形鋼の該板状先端部に固定される部分には長手方向に延長する鉄板が取付けられていることを特徴とする請求項５記載の鋼管矢板の継手の遮断構造。
【請求項８】
該遮水板の該パイプ内周面に圧接される部分を該ＣＴ形鋼の該板状先端部に固定される部分よりも硬度の低い弾性体で形成したことを特徴とする請求項５記載の鋼管矢板の継手の遮断構造。
【請求項９】
該遮断手段は、一端部が該ＣＴ形鋼の板状基部に固定され、他端部が折り曲げられて該ＣＴ形鋼挿入溝付近の該パイプの外周面に圧接された該ＣＴ形鋼の長手方向に延長する１対のゴム・合成樹脂等の弾性体からなる遮水板を備えることを特徴とする請求項３記載の鋼管矢板の継手の遮断構造。
【請求項１０】
該遮断手段は、一端部が該ＣＴ形鋼挿入溝付近の該パイプの外周面に固定され、他端部が該ＣＴ形鋼を該パイプ内に挿入する際に折り曲げられて該ＣＴ形鋼が固定された鋼管の外周面に圧接される該パイプの長手方向に延長する１対のゴム・合成樹脂等の弾性体からなる遮水板を備えることを特徴とする請求項３記載の鋼管矢板の継手の遮断構造。
【請求項１１】
該遮断手段は、該ＣＴ形鋼の長手方向に延長するゴム・合成樹脂等の弾性体からなる遮水板であって、該ＣＴ形鋼の板状先端部に固定された固定部と、該固定部の両端からそれぞれ二股状に延長する１対の遮水部を備え、該遮水部はそれぞれ一方の先端部は該板状先端部の外側に折り曲げられて該パイプの内周面に圧接され、他方の先端部は該板状先端部の内側に折り曲げられて該パイプの内周面に圧接された遮水板であることを特徴とする請求項３記載の鋼管矢板の継手の遮断構造。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】